(57)【特許請求の範囲】
【請求項１】
エレベーターのかごと、前記かごの出入口にて開閉するかごドアと、前記かごに設けたイオン発生装置付き空気清浄機と、前記かごに設けた送風ファンと、かご呼び及び乗り場呼びを登録する呼び登録手段と、エレベーターのかご運行を制御する制御手段とを具備するイオン発生装置付きエレベーターにおいて、
前記制御手段は、前記空気清浄機の動作を制御する空気清浄機動作制御部を有し、
前記空気清浄機動作制御部は、運転モードを判断する運転モード判断部、工事期間中であるか否かを判断する工事期間判断部、保守運転中であるか否かを判断する保守運転判断部及び閑散状態であるか否かを判断する利用頻度判断部とを有し、
前記利用頻度判断部は、一定時間内の呼び登録数をカウントする呼び登録カウント手段と、前記一定時間内の呼び登録数と予め定めた設定値との大小判定を行うことで閑散状態であるか否かを判断する判定手段とを有し、
前記運転モード判断部、前記工事期間判断部、前記保守運転判断部及び前記利用頻度判断部をこの順で実行し、それぞれの判断結果に基づいて前記イオン発生装置付き空気清浄機を作動あるいは休止することを特徴とするイオン発生装置付きエレベーター。
【請求項２】
エレベーターのかごと、前記かごの出入口にて開閉するかごドアと、前記かごに設けたイオン発生装置付き空気清浄機と、前記かごに設けた送風ファンと、かご呼び及び乗り場呼びを登録する呼び登録手段と、エレベーターのかご運行を制御する制御手段とを具備するイオン発生装置付きエレベーターにおいて、
前記制御手段は、前記空気清浄機の動作を制御する空気清浄機動作制御部を有し、
前記空気清浄機動作制御部は、運転モードを判断する運転モード判断部、工事期間中であるか否かを判断する工事期間判断部、保守運転中であるか否かを判断する保守運転判断部及び閑散状態であるか否かを判断する利用頻度判断部とを有し、
前記利用頻度判断部は、一定時間内の利用人数を算出する利用人数算出手段と、前記一定時間内の利用人数算出値と予め定めた設定値との大小判定を行うことで閑散状態であるか否かを判断する判定手段とを有し、
前記運転モード判断部、工事期間判断部、保守運転判断部及び利用頻度判断部をこの順で実行し、それぞれの判断結果に基づいて前記イオン発生装置付き空気清浄機を作動あるいは休止することを特徴とするイオン発生装置付きエレベーター。
【請求項３】
請求項１又は２記載のイオン発生装置付きエレベーターにおいて、
前記イオン発生装置の動作時に動作期間Ｔ１の後に停止期間Ｔ２を設けたことを特徴とするイオン発生装置付きエレベーター。
【請求項４】
請求項１又は２記載のイオン発生装置付きエレベーターにおいて、
前記送風ファンに風向を変更可能な板を取り付け、ドア閉時にかご内の空気を循環させることを特徴とするイオン発生装置付きエレベーター。
【請求項５】
請求項１又は２記載のイオン発生装置付きエレベーターにおいて、
前記送風ファンをかごドア付近に設置し、空気をカーテン状に送り出すことでドア開時のかご内からのイオン流出を抑制することを特徴とするイオン発生装置付きエレベーター。
【請求項６】
請求項１又は２記載のイオン発生装置付きエレベーターにおいて、
前記空気清浄機動作制御部は、前記運転モード判断部で管制運転モードであると判断された場合及び前記工事期間判断部で工事中であると判断された場合に前記イオン発生装置付き空気清浄機を停止することを特徴とするイオン発生装置付きエレベーター。
【請求項７】
請求項１又は２記載のイオン発生装置付きエレベーターにおいて、
前記空気清浄機動作制御部は、前記保守運転判断部で保守運転中と判断され、かつ強制運転の設定がされている場合に前記イオン発生装置付き空気清浄機を作動させることを特徴とするイオン発生装置付きエレベーター。
【発明の詳細な説明】
【技術分野】
【０００１】
本発明はエレベーターのかご内にイオンを循環させるイオン発生装置を備えたエレベーターに関する。
【背景技術】
【０００２】
従来、エレベーターに搭載される空気清浄機の制御方法としては、乗客検出やかご内温度検出、或いは時間指定等により運転モードを変更し、制御する方法が知られている(特許文献１)。更には、新規の乗り場呼びやかご内行先階呼び、またはエレベーターのサービス終了に連動し、所定時限後に空気清浄機の運転を停止させる方法(特許文献２)等も知られている。
【先行技術文献】
【特許文献】
【０００３】
【特許文献１】特開２００５−８９１７１号公報
【特許文献２】特開２００３−３２１１７５号公報
【発明の概要】
【発明が解決しようとする課題】
【０００４】
近年、エレベーターのかごにイオン発生装置付きの空気清浄機を搭載することで、かご内の除菌や消臭に対するニーズが増加しており、この場合の消費電力の低減及び性能寿命の長期化に対する要求も高まっている。
【０００５】
ところで、空気清浄機のイオン発生装置は、イオンを放出する放出針を高電位として、放出針に結露した水分をイオン化しており、結露した水分が不足した状態で高電位を継続すると放出針が劣化し始める。
【０００６】
一方、高層マンション等のビル高層化によって、高層階と地上階の温湿度の差が大きくなっており、温湿度の差が与える放出針への負荷は、寿命にとって好ましいものではない。これに対して、前記特許文献１は換気扇との連動制御方法、あるいは、特許文献２は乗客の有無での制御にとどまっており、最近の上記した課題には応えていない。
【０００７】
本発明はこのような課題に鑑みてなされたもので、その目的とするところは、温湿度が変化する中で長期間使用するエレベーターかごのイオン発生装置であっても、消費電力を低減し性能寿命の安定化・長寿命化を可能にするイオン発生装置付きエレベーターを提供することにある。
【課題を解決するための手段】
【０００８】
本発明は、エレベーターのかごと、前記かごの出入口にて開閉するかごドアと、前記かごに設けたイオン発生装置付き空気清浄機と、前記かごに設けた送風ファンと、かご呼び及び乗り場呼びを登録する呼び登録手段と、エレベーターのかご運行を制御する制御手段とを具備するイオン発生装置付きエレベーターにおいて、その特徴とするところは、一定時間内の呼び登録数をカウントする呼び登録カウント手段、又は一定時間内の利用人数を算出する利用人数算出手段、及び前記一定時間内の呼び登録数と予め定めた設定値との大小判定を行う判定手段、又は前記一定時間内の利用人数算出値と予め定めた設定値との大小判定を行う判定手段を備え、前記いずれかの判定手段の判定に基づいて前記イオン発生装置を作動あるいは休止することにある。
【０００９】
その他の特徴については、以下述べる発明の実施の形態の中で明らかにする。
【発明の効果】
【００１０】
本発明によれば、エレベーターかご内の雑菌を効果的に減少させつつ、消費電力を低減し、性能寿命の安定化・長寿命化を実現することができる。
【図面の簡単な説明】
【００１１】
【図１】本発明の一実施例に係るイオン発生装置付きエレベーターの全体構成図。
【図２】図１の実施例に係る制御部全体のブロック図。
【図３】図１の実施例に係るイオン発生装置部の電力制御の説明図。
【図４】図１の実施例に係る制御部の動作フローチャート。
【図５】本発明の一実施例に係る空気清浄機動作制御のフローチャート。
【図６】本発明の一実施例に係る利用頻度判断のフローチャート。
【図７】図５の空気清浄機運転の詳細制御を示すフローチャート。
【発明を実施するための形態】
【００１２】
以下、本発明の一実施例を、図面を参照して説明する。なお、本実施例では、一定時間内の呼び登録数をカウントし、予め定めた設定値との大小判定することでイオン発生装置を作動あるいは休止する制御について具体的に説明する。この一定時間内の呼び登録数のカウントに代えて利用人数を算出し、この一定時間内の利用人数を予め定めた設定値と大小判定することでイオン発生装置を制御することも、本実施例と同様に実現することができる。
【００１３】
図1はイオン発生装置付きエレベーターの全体構成図、図２はその制御部の構成を示している。図１のエレベーター装置は、昇降路内をロープを介して昇降するかご５と、このかご５を昇降制御する制御盤１に内蔵された制御部２と、乗り場呼びを登録する装置３と、かご内の操作盤４と、イオン発生装置を含む空気清浄機６と、送風ファン１０と、保守用スイッチ８ａ〜８ｃと、外部入力装置９ａ〜９ｃと、かご及び乗り場からの信号を通信する信号線７、等から構成されている。
【００１４】
図２の制御部２は、乗り場呼び３が入力される利用頻度判断部２ａと、保守用スイッチ８ａ〜８ｃの入力と空気清浄機を制御する出力を持つ動作制御部２ｂと、外部入力装置９ａ〜９ｃにより入力されるデータ部２ｃと、エレベーター駆動にかかわるその他の制御部品から構成されている。
【００１５】
送風ファン１０は、かご運行時に動作している。かごドアが閉じられている状態では、かご内の空気を対流させて、イオン発生装置付き空気清浄機６のマイナスイオン拡散を促進する。また、送風ファン１０に、風向を変更可能な板を取り付け、ドアが閉じているときはかご内にイオンが循環する風向に、かごドアが開いているときはかご内からのイオン流出を抑える風向になるよう、かごドアの開閉状態により、風向を制御することで、イオンを効率よくかご内に循環させることができる。
【００１６】
本実施例では、送風ファン１０をかご５の後ろ側(かごドアの反対側)の天井に設置しているが、送風ファン１０をかごドア付近に設けてカーテン状の空気を送り出し、かごドアが開いているときに、かご内からイオン流出を抑える目的に使用してもよい。
【００１７】
エレベーターを利用する人数が少ない場合は、乗客に持ち込まれる菌の数も少ないため、空気清浄機６のイオン発生装置を運転させる必要性が低いことから、運転を休止する。一方、エレベーターを利用する人数が多い場合は、乗客に持ち込まれる菌の数が多くなる。そのため、除菌や消臭の効果が必要となり、空気清浄機６のイオン発生装置を運転させ、かご内にマイナスイオンを供給する。
【００１８】
図３はイオン発生装置の電力制御を示しており、イオン発生装置を一定時間動作させる動作期間Ｔ１の後、停止期間Ｔ２を設けている。動作期間Ｔ１は、イオン発生機から発生するマイナスイオンがかご内に行き渡る時間を目安として決定し、停止期間Ｔ２は、かご内でのマイナスイオンの効果が損なわない時間を目安として決定する。本実施例では、動作期間Ｔ１を１０分、休止期間Ｔ２を１０分としている。
【００１９】
以下、具体的な制御方法について、図４以降のフローチャートを参照して説明する。
【００２０】
図４は、本発明に係る制御部２の全体フローチャートを示す。ステップＥ１０にて、制御部２は電源投入、またはリスタートにより起動される。ステップＥ２０にて、制御部２のイニシャル処理として初期処理が実行される。
【００２１】
ステップＥ３０にて、運転制御入力処理に移る。ここで、かごの位置等エレベーターの運転制御に必要な信号が入出力される。ステップＥ４０及びＥ５０にて、各々かご呼び、乗り場呼びの入出力が行われ、ステップＥ６０にて運転モードが選択される。ステップＥ７０にてステップＥ６０での結果を用いて空気清浄機の動作制御が行われる。そして、ステップＥ８０にて、エレベーター起動処理が実行されエレベーターが動作する。
【００２２】
以上、ステップＥ３０〜Ｅ８０は、電源ダウンかプログラム異常が発生するまで、繰り返し所定の時間間隔で実行される。次に、空気清浄機動作制御（ステップＥ７０）と利用頻度判断（ステップＥ７０ｅ）について詳しく説明する。
【００２３】
図５は、図４のステップＥ７０における空気清浄機動作制御のフローチャートを示す。ステップＥ７０ａにてスタートする。ステップＥ７０ｂにて、運転モードの判断を行う。この運転モードは図４のステップＥ６０の運転モード選択で選択されたものである。ここで、管制運転モードであれば、ステップＥ７０ｋに進み、管制運転モード以外であればステップＥ７０ｃに進む。
【００２４】
ステップＥ７０ｃにて、工事期間中かどうかを判断する。これは図２に示すデータ２ｃの工事中データにより判断される。工事中データが入力されているとステップＥ７０ｋに進み、工事中データが入力されていなければ、ステップＥ７０ｄに進む。
【００２５】
ステップＥ７０ｄにて、保守運転かどうかを判断する。即ち、保守用スイッチ８ａ〜８ｃが何れかひとつでも投入されている場合は、ステップＥ７０ｆに進み、保守用スイッチ８ａ〜８ｃのいずれにも投入されていない場合は、ステップＥ７０ｅに進む。
【００２６】
ステップＥ７０eでは、後述する図６の乗り場呼びの数に基づく利用頻度判断のフローチャートに基づいて閑散状態か否かの判断を行う。即ち、閑散状態で利用頻度が低ければステップＥ７０ｇに進み、閑散状態でなく利用頻度が高ければステップＥ７０ｉに進む。
【００２７】
ステップＥ７０ｆにて、データ部２ｃの強制運転データ入力有無を判断する。入力されている場合はステップＥ７０ｈに進み、一方、入力されていない場合はステップＥ７０ｉに進む。
【００２８】
ステップＥ７０ｇにて、空気清浄機が動作中の場合はステップＥ７０ｊに進み、空気清浄機の運転を継続させる。空気清浄機が動作していない場合はステップＥ７０ｋに進む。ステップＥ７０ｈにて空気清浄機６は連続動作を行う。保守用スイッチ８ａ〜８ｃが解除されるか、強制運転データ２ｃがクリアされた場合は、空気清浄機６は連続動作を停止し、ステップＥ７０ｌに進む。
【００２９】
ステップＥ７０ｉにて、空気清浄機を１０分運転（動作期間Ｔ１)した後、１０分停止（停止期間Ｔ２）する。１０分停止した後、ステップＥ７０ｌに進む。
【００３０】
ステップＥ７０ｊは現在の空気清浄機６の動作を利用状況によって停止させるのではなく、動作期間Ｔ１の間は動作させる。ステップＥ７０ｋにて空気清浄機を停止し、ステップＥ７０ｌに進む。ステップＥ７０ｌにて、本プロセスを終了する。
【００３１】
図６は図５のステップＥ７０ｅにおける閑散状態か否かを判断するための、利用頻度判断のフローチャートである。まず、ステップＥ７０ｅａにてスタートする。
【００３２】
次に、ステップＥ７０ｅｂにて単位時間１（ここでは２０分）当たりの乗り場呼び３の個数をカウントする。ここで設定値１（ここでは２個）以下の場合は利用頻度が低い、つまり閑散状態と判断し、ステップＥ７０ｅｄに進む。一方、設定値１より大きければ、ステップＥ７０ｅｃに進む。
【００３３】
ステップＥ７０ｅｃにて、単位時間２（ここでは６０分）当たりの乗り場呼び３の個数をカウントする。ここで設定値２（ここでは６個）以下であれば判断を保留し、ステップＥ７０ｅｆに進む。設定値２より大きければステップＥ７０ｅｅに進む。利用頻度が高い、つまり閑散状態でないと判断する。
【００３４】
上記における判断保留は、判断前の状態を継続することを意味する。即ち、乗り場呼びが３個から６個の場合は、それ以前の状態が閑散状態の場合は閑散状態を継続し、閑散状態でない場合は、閑散状態でない状態を継続している。
【００３５】
ステップＥ７０ｅｄにて、空気清浄機を休止するよう指令する。ステップＥ７０ｅｅにて、空気清浄機の起動許可の信号を出力する。ステップＥ７０ｅｆにて本プロセスを終了する。
【００３６】
図７は、図５の空気清浄機運転（ステップＥ７０ｉ）の詳細制御を示すフローチャートであり、断続運転を行うためのものである。Ｅ７０ｉａにてスタートする。ステップＥ７０ｉｂにて、空気清浄機の動作を指令しているか判断する。もし、空気清浄機の動作を指令していればステップＥ７０ｉｄに進み、そうでなければステップＥ７０ｉｃに進む。
【００３７】
ステップＥ７０ｉｃにて、空気清浄機を休止する指令を発しているか判断する。もし、休止指令を発していなければステップＥ７０ｉｆに進み、発していればステップＥ７０ｉｅに進む。ステップＥ７０ｉｅにて、空気清浄機休止指令後、所定時間２（ここでは１０分）経過したかを判断する。所定時間２経過していればステップＥ７０ｉｆへ進む。そうでなければステップＥ７０ｉｇに進み、空気清浄機休止指令を継続する。
【００３８】
ステップＥ７０ｉｄにて、空気清浄機動作指令後、所定時間１（ここでは１０分）経過したかを判断する。所定時間１経過していればステップＥ７０ｉｇへ進む。そうでなければステップＥ７０ｉｆに進み、空気清浄機動作指令を継続する。
【００３９】
上記一連のフローチャートは空気清浄機６の制御に対して動作指令の出力のみを行っているが、空気清浄機６の動作信号や故障信号を受け取って空気清浄機６の状態を監視してもよい。
【００４０】
上記各設定値および各所定時間は、空気清浄機の性能により異なる部分である。空気清浄機の性能を十分に確認した上で、設定するとよりよい効果が得られる。
【００４１】
上記強制運転データ２ｃは、空気清浄機の動作を保守運転時に、目視確認することができるように設けたものである。よって、制御部２に取り込みの上で保守装置等に表示するなど、他の動作確認手段を設けてもよい。
【００４２】
工事中データ２ｃは建物工事期間中に保守運転、もしくは工事作業員のエレベーター一時使用時に建築工事の粉塵を吸い込まないように、また工事中は動作不要であるため、空気清浄機６を停止させるものである。
【００４３】
また、前記したように、図６の乗場呼び数のカウントに代えてエレベーターの利用人数を算出すれば、このエレベーターの利用人数に応じたイオン発生装置の制御も、同様に実施することができる。
【符号の説明】
【００４４】
１・・・制御盤，２・・・制御部，３・・・乗り場ボタン，４・・・かご内操作盤，５・・・かご，６・・・空気清浄機，７・・・通信線，１０・・・送風ファン
【図１】
0005528367.tif 000002
【図２】
0005528367.tif 000003
【図３】
0005528367.tif 000004
【図４】
0005528367.tif 000005
【図５】
0005528367.tif 000006
【図６】
0005528367.tif 000007
【図７】
0005528367.tif 000008